(57)【要約】【課題】溶接用ワイヤのコイルの大型化及び高重量化等の要請の下でも、極めて低コストで、コイルを確実に保持すると共に段ボールの潰れを防止することができる溶接用ワイヤの収納パックを提供する。【解決手段】容器１内に収納された溶接用ワイヤのコイルの上に押さえ板２が配置され、筒状をなす第１押さえ枠３と、この第１押さえ枠に外嵌された第２押さえ枠１４とが設けられている。第２押さえ枠１４はその下端部が押さえ板２に接触し、上端部が折り返されていて、折り返し部２４が形成されている。この折り返えされて２重になっている部分に、弾性部材としての輪ゴム１５がその一部を第２押さえ枠の内側に張架させて設けられており、第１押さえ枠３は、その押さえ板側の端部が輪ゴム１５の前記張架部に係止された状態で前記容器の開口部に配置された蓋６により、容器１内に押し込められている。【選択図】図１
2010115666.tif 000002
【特許請求の範囲】
【請求項１】
コイル状に巻回された溶接用ワイヤを収納する有底円筒状の容器と、この容器内に収納された前記溶接用ワイヤのコイルの上に配置される押さえ板と、筒状をなす第１押さえ枠と、この第１押さえ枠に外嵌された第２押さえ枠と、を有し、前記第２押さえ枠はその一方の端部が前記押さえ板に接触し、他方の端部が折り返されており、この折り返えされて２重になっている部分に、弾性部材がその一部を第２押さえ枠の内側に張架させて設けられており、前記第１押さえ枠は、その前記押さえ板側の端部が前記弾性部材の前記張架部に係止された状態で前記容器の開口部に配置された蓋部により、前記容器内に押し込められていることを特徴とする溶接用ワイヤの収納パック。
【請求項２】
コイル状に巻回された溶接用ワイヤを収納する有底円筒状の容器と、この容器内に収納された前記溶接用ワイヤのコイルの上に配置される押さえ板と、筒状をなす第１押さえ枠と、この第１押さえ枠に外嵌された第２押さえ枠と、を有し、前記第１押さえ枠はその一方の端部が前記押さえ板に接触するように配置され、前記第２押さえ枠はその押さえ板側の端部が折り返されており、この折り返えされて２重になっている部分に、弾性部材がその一部を第２押さえ枠の内側に張架させて設けられており、前記第２押さえ枠は、前記弾性部材の前記張架部を前記第１の押さえ枠の他端部に係止させた状態で前記容器の開口部に配置された蓋部により、前記容器内に押し込められていることを特徴とする溶接用ワイヤの収納パック。
【請求項３】
前記第１及び第２押さえ枠は、角筒状をなすことを特徴とする請求項１又は２に記載の溶接用ワイヤの収納パック。
【請求項４】
前記第２押さえ枠は、前記一方の端部に外側に広がるフランジ部が形成されていることを特徴とする請求項１に記載の溶接ワイヤの収納パック。
【請求項５】
前記第１押さえ枠は、前記一方の端部に外側に広がるフランジ部が形成されていることを特徴とする請求項２に記載の溶接ワイヤの収納パック。
【請求項６】
前記第１の押さえ枠は、その下端縁又は上端縁にて折り返されて２重になっていることを特徴とする請求項１乃至５のいずれか１項に記載の溶接ワイヤの収納パック。
【請求項７】
前記弾性部材は、前記第２押さえ枠の各コーナー部において、そのコーナー部の角部を挟む２側面間に掛け渡されて張架されていることを特徴とする請求項３に記載の溶接用ワイヤの収納パック。
【発明の詳細な説明】
【技術分野】
【０００１】
本発明は、コイル状に巻回した溶接用ワイヤを同軸的に有底筒状の容器に収納するための溶接用ワイヤの収納パックに関し、特に、溶接用ワイヤのコイルの保持状態を改善できる溶接用ワイヤの収納パックに関する。
【背景技術】
【０００２】
溶接用ワイヤは、コイル状に巻回された後、収納容器内に収納されて、収納パック入りワイヤとして、ユーザに搬送される。
【０００３】
図６は、従来の溶接用ワイヤの収納パックを示す斜視図であり、蓋をする前の図、図７は、同じく従来の溶接用ワイヤの収納パックを示す斜視図であり、蓋をしようとしている状態の図である。また、図８は、第１及び第２の押さえ枠を示す拡大斜視図である。有底円筒状の容器１がその開口部を上方にして配置されており、この容器１内に溶接ワイヤのコイル（図面上に見えていない）が、その軸方向を垂直にして、即ち、容器１と同軸的に、収納されている（特許文献１）。
【０００４】
溶接ワイヤコイルの上端部（軸方向の一端部）には、押さえ板２が載置されており、この押さえ板２の上に、角筒状の第１及び第２の押さえ枠３，４が配置されている。これらの押さえ枠３，４は、夫々、各辺長が相互に等しい角筒状をなし、第１の押さえ枠３より第２の押さえ枠４の方が前記辺長が若干大きく、第１の押さえ枠３に第２の押さえ枠４が外嵌されている。これらの第１及び第２の押さえ枠３，４は、いずれも段ボール製である。
【０００５】
第２の押さえ枠４はその下端が押さえ板２に接触するように配置される。そして、この第２の押さえ枠４は、その４個のコーナー部に、夫々弾性部材としての太幅の輪ゴム５が巻き架けられている。即ち、図８に示すように、第２の押さえ枠４の各角部から、その上端縁に沿って等距離の２位置に、夫々上端縁から下方に向かう切欠７が形成されており、輪ゴム５は前記角部と切欠７とに係止されて設けられている。これにより、輪ゴム５は、第２の押さえ枠４の各コーナー部において、２個の切欠７間に掛け渡されており、輪ゴム５はこの掛け渡し部分において、第２の押さえ枠４に囲まれた空間内に介在している。
【０００６】
一方、第１の押さえ枠３は、その各コーナー部の下端縁の２カ所に、輪ゴム５の掛け渡し部分に係合する切欠８が形成されている。
【０００７】
このように構成された従来の収納パックにおいては、第２の押さえ枠４を溶接用ワイヤのコイル上の押さえ板２上に載置し、第１の押さえ枠３を第２の押さえ枠４に嵌合し、切欠８を輪ゴム５の掛け渡し部分に係合させる。そして、図７に示すように、第１の押さえ枠３の上に、収納パックの蓋６を置き、この蓋６を容器１に向けて押圧して、蓋６を容器１の上端縁に取り付ける。このとき、図６に示すように、第１の押さえ枠３は容器１から上方に突出しており、この第１の押さえ枠３を蓋６により容器１内に押し込むと、第１の押さえ枠３は輪ゴム５の弾性力に抗して第２の押さえ枠４内に進入する。この状態で、蓋６を容器１の上端縁に固定することにより、第１の押さえ枠３は蓋６により規制されて押さえつけられており、第２の押さえ枠４は輪ゴム５からの弾性力を受けて、下方に付勢される。これにより、第２の押さえ枠４は、押さえ板２を介して、輪ゴム５の弾性力により、溶接ワイヤのコイルを下方に押圧する。
【０００８】
従って、蓋６が設置された溶接用ワイヤの収納パックにおいては、溶接用ワイヤのコイルは、収納パックの容器１の底部と、蓋との間に、輪ゴム５の弾性力により押圧された状態で、保持されている。これにより、収納パックの輸送時及び保管作業時等において、容器１内で、溶接用ワイヤのコイルが暴れたり、この暴れによりワイヤ表面に傷がついたり、溶接ワイヤのコイルの整列巻きが解けたりすることが防止される。
【０００９】
【特許文献１】実公平３−１１１８９号公報
【発明の開示】
【発明が解決しようとする課題】
【００１０】
しかしながら、上述の従来技術においては、段ボール製の第２の押さえ枠４の４隅部に掛け渡された輪ゴム５の弾性力により、溶接ワイヤのコイルを容器１内に押さえ付けており、コイルを押さえ付ける応力の反力により、第１の押さえ枠３及び第２の押さえ枠４に対して、コイル軸方向に応力が作用し、更に、第２の押さえ枠４の４隅部に対してこの角部を潰す方向に応力が作用する。このため、第１及び第２の押さえ枠３，４の寿命が短いという問題点がある。また、溶接ワイヤのコイルを容器１内で強固に固定することにより、搬送時におけるコイルの暴れを確実に防止できるが、そうすると、輪ゴムとして弾性力が強いものを使用する必要があり、このため、第２の押さえ枠４の角部がより一層潰れやすくなり、問題となる。更に、溶接ワイヤのコイルが大型化及び高重量化した場合も、このようなコイルを保持するために、輪ゴムの弾性力を高める必要があり、そうすると、段ボールの強度が相対的に弱くなり、段ボールにおける輪ゴムの装着箇所が一層潰れやすくなる。
【００１１】
本発明はかかる問題点に鑑みてなされたものであって、溶接用ワイヤのコイルの大型化及び高重量化等の要請の下でも、極めて低コストで、コイルを確実に保持すると共に段ボールの潰れを防止することができる溶接用ワイヤの収納パックを提供することを目的とする。
【課題を解決するための手段】
【００１２】
本願第１発明に係る溶接用ワイヤの収納パックは、コイル状に巻回された溶接用ワイヤを収納する有底円筒状の容器と、この容器内に収納された前記溶接用ワイヤのコイルの上に配置される押さえ板と、筒状をなす第１押さえ枠と、この第１押さえ枠に外嵌された第２押さえ枠と、を有し、前記第２押さえ枠はその一方の端部が前記押さえ板に接触し、他方の端部が折り返されており、この折り返えされて２重になっている部分に、弾性部材がその一部を第２押さえ枠の内側に張架させて設けられており、前記第１押さえ枠は、その前記押さえ板側の端部が前記弾性部材の前記張架部に係止された状態で前記容器の開口部に配置された蓋部により、前記容器内に押し込められていることを特徴とする。
【００１３】
本願第２発明に係る溶接用ワイヤの収納パックは、コイル状に巻回された溶接用ワイヤを収納する有底円筒状の容器と、この容器内に収納された前記溶接用ワイヤのコイルの上に配置される押さえ板と、筒状をなす第１押さえ枠と、この第１押さえ枠に外嵌された第２押さえ枠と、を有し、前記第１押さえ枠はその一方の端部が前記押さえ板に接触するように配置され、前記第２押さえ枠はその押さえ板側の端部が折り返されており、この折り返えされて２重になっている部分に、弾性部材がその一部を第２押さえ枠の内側に張架させて設けられており、前記第２押さえ枠は、前記弾性部材の前記張架部を前記第１の押さえ枠の他端部に係止させた状態で前記容器の開口部に配置された蓋部により、前記容器内に押し込められていることを特徴とする。
【００１４】
この溶接用ワイヤの収納パックにおいて、前記第１及び第２押さえ枠は、例えば、角筒状をなす。この場合に、前記弾性部材は、例えば、前記第２押さえ枠の各コーナー部において、そのコーナー部の角部を挟む２側面間に掛け渡されて張架されている。また、前記第１発明においては、前記第２押さえ枠の前記一方の端部に、また第２発明においては、前記第１押さえ枠の前記一方の端部に、外側に広がるフランジが設けられていることが好ましい。更に、前記第１の押さえ枠は、その下端縁又は上端縁にて折り返されて２重になっていることが好ましい。
【００１５】
本願第１発明及び第２発明においては、第２押さえ枠の内側に弾性部材が掛け渡されて張架部が設けられており、この弾性部材の張架部に第１押さえ枠が係止されている。そして、この状態で、蓋部を容器の開口部に装着することにより、弾性部材の弾性力に抗して、第１押さえ枠及び第２押さえ枠を、相互に重なるように押し込むと、弾性部材の弾性力により、溶接ワイヤのコイルが容器底部に押しつけられて、容器内に固定される。この場合に、本発明においては、弾性部材は、第２押さえ枠の折り返されて２重になっている部分に設けられているので、弾性部材の弾性力が大きくても、第２押さえ枠の弾性部材取り付け部が潰れてしまうことがない。また、第２押さえ枠又は第１押さえ枠の前記押さえ板と接触する一方の端部にフランジを設けることにより、段ボール等で形成された第１及び第２押さえ枠の強度を向上させることができ、第１及び第２押さえ枠が潰れにくくなり、押圧力をより確実に伝達できる。更に、第１の押さえ枠が２重構造になっていることにより、第１の押さえ枠の強度が向上するため、外嵌された第２の押さえ枠が変形（潰れ）にくくなる。
【００１６】
なお、本願第１発明と第２発明とは、本願第１発明が、前記第２押さえ枠がコイル上の押さえ板に接し、第１押さえ枠が蓋部により容器内に押し込められるものであり、第２発明が、前記第１押さえ枠がコイル上の押さえ板に接し、第２押さえ枠が蓋部により容器内に押し込められるものである点で相違する。
【発明の効果】
【００１７】
本発明によれば、弾性部材が第２押さえ枠の折り返されて２重になっている部分に設けられているので、弾性係数が高くて強い弾性部材を使用しても、第２押さえ枠における弾性部材取り付け部が潰れたり、損傷したりすることはなく、従って第１及び第２押さえ枠の寿命を延長し、溶接ワイヤのコイルを容器内に強固に固定することができるという効果を奏する。
【発明を実施するための最良の形態】
【００１８】
以下、本発明の実施形態について、添付の図面を参照して具体的に説明する。図１は本発明の実施形態に係る収納パックの第１の押さえ枠３を示す斜視図、図２は同じく収納パックの第２の押さえ枠１４を示す斜視図、図３は第１の押さえ枠３を第２の押さえ枠１４内に嵌入させた状態を示す斜視図である。図４は本発明の実施形態に係る収納パックの蓋を取り付ける前の斜視図であり、第１の押さえ枠３を第２の押さえ枠１４内に嵌入させたものを容器１内の溶接ワイヤコイル上に載置した状態を示す斜視図である。図５は同じく容器の蓋を取り付けようとしている状態の斜視図である。容器１は、有底円筒状をなし、その開口部には蓋部６が固定されるようになっている。そして、容器１は、その開口部を上方にして配置され、この容器１内に溶接ワイヤのコイル（図面上に見えていない）が、その軸方向を垂直にして、容器１と同軸的に、収納されている。
【００１９】
溶接ワイヤコイルの上端部（軸方向の一端部）には、押さえ板２が載置されており、この押さえ板２の上に、角筒状の第１及び第２の押さえ枠３，１４が配置されている。これらの押さえ枠３，１４は、夫々、各辺長が相互に等しい角筒状をなし、第１押さえ枠３より第２押さえ枠１４の方が前記辺長が若干大きく、第１押さえ枠３に第２押さえ枠１４が外嵌されている。これらの第１及び第２の押さえ枠３，１４は、いずれも段ボール製である。
【００２０】
第１の押さえ枠３は、底及び天板を有しない角筒状をなすが、側面は、その下端縁で折り返されて２重構造になっている。具体的には、横長矩形の段ボールを水平線で２重に折り返し、それを、４個の垂直線で折り曲げて、枠状にし、突合せ端部の一方を僅かな糊代部分で折り曲げて、この糊代部分を他方の突合せ端部の折り返し２重構造部分に挿入して、第１の押さえ枠３が組み立てられている。
【００２１】
第２の押さえ枠１４はその下端部に外方に向かうフランジ２５が形成されており、この下端フランジ２５がコイル上の押さえ板２に接触するように配置される。また、第２の押さえ枠１４の上端縁は、外側に折り返されて、折り返し部２４が形成されている。そして、この第２の押さえ枠１４は、その４個のコーナー部に、夫々弾性部材としての太幅の輪ゴム１５が巻き架けられている。即ち、図２に示すように、第２の押さえ枠１４の折り返し部２４には、第２の押さえ枠１４の各角部から、その上端縁に沿って等距離の２位置に、夫々矩形の孔としての切欠１７が形成されており、輪ゴム１５は前記角部と切欠１７とに係止されて設けられている。これにより、輪ゴム１５は、第２の押さえ枠１４の各コーナー部において、２個の切欠１７間に掛け渡されており、輪ゴム１５はこの掛け渡し部分において、第２の押さえ枠１４に囲まれた空間内に介在している。また、折り返し部２４における第２押さえ枠１４の角部側の端部には、端縁から水平方向に切り欠いた切欠３０が形成されており、輪ゴム１５はこの切欠３０内に係合して掛け渡されており、これにより、折り返し部２４の端部が若干外側に膨らむことを許容している。
【００２２】
このように構成された本実施形態の収納パックにおいては、図３に示すように、第２の押さえ枠１４内に第１の押さえ枠３を嵌合し、第１押さえ枠３を輪ゴム１５における第２押さえ枠１４内に掛け渡された部分に係止させる。そして、図４に示すように、これらの第１押さえ枠３及び第２押さえ枠１４を容器１内の溶接用ワイヤのコイル上の押さえ板２上に載置する。又は、第２の押さえ枠１４を溶接用ワイヤのコイル上の押さえ板２上に載置し、第１の押さえ枠３を第２の押さえ枠１４に嵌合する。そして、図５に示すように、第１の押さえ枠３の上に、収納パックの蓋６を置き、この蓋６を容器１に向けて押圧して、蓋６を容器１の上端縁に固定する。即ち、蓋６で容器１の上端部を密閉する。このとき、図４に示すように、第１の押さえ枠３は容器１から上方に突出しており、この第１の押さえ枠３を蓋６により容器１内に押し込むと、第１の押さえ枠３は輪ゴム１５の弾性力に抗して第２の押さえ枠１４内に進入する。この状態で、蓋６を容器１の上端縁に固定することにより、第１の押さえ枠３は蓋６により規制されて押さえつけられており、第２の押さえ枠１４は輪ゴム１５からの弾性力を受けて、下方に付勢される。これにより、第２の押さえ枠１４は、押さえ板２を介して、輪ゴム１５の弾性力により、溶接ワイヤのコイルを下方に押圧する。
【００２３】
従って、蓋６が設置された溶接用ワイヤの収納パックにおいては、溶接用ワイヤのコイルは、収納パックの容器１の底部と、蓋との間に、輪ゴム５の弾性力により押圧された状態で、保持されている。これにより、収納パックの輸送時及び保管作業時等において、容器１内で、溶接用ワイヤのコイルが暴れたり、この暴れによりワイヤ表面に傷がついたり、溶接ワイヤのコイルの整列巻きが解けたりすることが防止される。
【００２４】
而して、本実施形態においては、輪ゴム１５は、第２の押さえ枠１４の折り返し部２４に取り付けられているので、輪ゴム１５の取り付け位置の強度が高い。このため、溶接ワイヤのコイルが大型化し、高重量化して、弾性部材である輪ゴム１５として、従来よりも弾性係数が高くて、輪ゴム１５を張架したときの引張強度が高いものを使用する必要が生じても、輪ゴム１５により第２の押さえ枠１４における輪ゴム１５の取り付け位置が潰れることを防止することができ、第１及び第２の押さえ枠３，１４の寿命を延長できる。また、高強度の輪ゴム１５を使用できるので、容器内における溶接ワイヤコイルを暴れることなく、確実に保持することができる。
【００２５】
なお、本発明は上述の実施形態に限らず、種々の変形例が可能である。例えば、上記実施形態においては、弾性部材としての輪ゴム１５が取り付けられた第２押さえ枠１４が、容器１内の溶接ワイヤコイル上の押さえ板に接触するように、第１及び第２の押さえ枠３，１４をコイル上に配置し、蓋６で第１の押さえ枠３を容器１内に押し込むことにより、輪ゴム１５を引張状態にしたが、逆に、第１の押さえ枠３を容器１内の溶接ワイヤ上の押さえ板に接触するように、第１及び第２の押さえ枠３，１４をコイル上に配置し、蓋６で第２の押さえ枠１４を容器１内に押し込むことにより、輪ゴム１５を引張状態にしてもよい。
【００２６】
また、切欠１７は、上述のように、矩形の孔ではなく、折り返し部２４の上端縁から下方に向かうように切り欠いたものでもよく、輪ゴム１５を３角形状に保持できるものであればよい。更に、弾性部材としては、無端の輪ゴムを第２押さえ枠１４の角部に係止させるものに限らず、第２押さえ枠１４の角部に掛け渡すように、各角部の両内面に１本のゴムの両端部を固定したものでもよい。この場合は、各ゴムの両端部は、折り返し部２４の２重構造の２枚の段ボールの双方に固定されていることが好ましい。また、折り返し部２４はその第２押さえ枠の角部で相互に固定されていることが好ましい。
【００２７】
更に、第１及び第２の押さえ枠３，１４は、上記実施形態のように、四角筒でなくてもよく、例えば、円筒状等にすることもできる。しかし、第１及び第２の押さえ枠３，１４は、現実的には、四角筒である。また、弾性部材は、上記実施形態では輪ゴムであるが、市販の容易に入手可能なものを使用すればよい。輪ゴムの破断強度は高い方が好ましく、このため、幅広の帯状の輪ゴムを使用することが好ましい。更にまた、第１押さえ枠３の下端縁に、輪ゴム１５の掛け渡し部分に係合する切欠（図８の切欠８参照）を設けてもよい。なお、第１の押さえ枠３は、折り返し部が下端縁ではなく、上端縁でもよい。また、第１の押さえ枠３は、折り返したものではなく、１重構造の枠体でもよい。
【図面の簡単な説明】
【００２８】
【図１】本発明の実施形態に係る収納パックの第１の押さえ枠３を示す斜視図である。
【図２】同じく収納パックの第２の押さえ枠１４を示す斜視図である。
【図３】第１の押さえ枠３を第２の押さえ枠１４内に嵌入させた状態を示す斜視図である。
【図４】本発明の実施形態に係る収納パックの蓋を取り付ける前の斜視図であり、第１の押さえ枠３を第２の押さえ枠１４内に嵌入させたものを容器１内の溶接ワイヤコイル上に載置した状態を示す斜視図である。
【図５】同じく容器の蓋を取り付けようとしている状態の斜視図である。
【図６】従来の溶接用ワイヤの収納パックを示す斜視図である（蓋の取り付け前）。
【図７】従来の溶接用ワイヤの収納パックを示す斜視図である（蓋の取り付け時）。
【図８】従来の第１及び第２押さえ枠３，４の拡大斜視図である。
【符号の説明】
【００２９】
１：容器
２：押さえ板
３：第１押さえ枠
４，１４：第２押さえ枠
５，１５：輪ゴム
７，１７、３０：切欠
２４：折り返し部
２５：フランジ
【図１】
2010115666.tif 000003
【図２】
2010115666.tif 000004
【図３】
2010115666.tif 000005
【図４】
2010115666.tif 000006
【図５】
2010115666.tif 000007
【図６】
2010115666.tif 000008
【図７】
2010115666.tif 000009
【図８】
2010115666.tif 000010